(57)【要約】【課題】  防水シール部材で保護されたハウジング内部に水が浸入する前に警報を発して警告する浸水警報装置を内蔵する防水ハウジングであって、これをカメラボディーに具備する防水カメラ及びカメラ等を収容する防水ハウジングを提供すること。【解決手段】  ハウジング１の開口部７を塞ぐ蓋部９と、前記蓋部９を閉じた際、前記開口部７と前記蓋部９との間に前記開口部７の略一周にわたって配設される少なくとも２つの防水部材１１ａ、１１ｂと、前記２つの防水部材１１ａ、１１ｂの間に配設され、前記防水部材の間が浸水したとき状態変化を生ずる浸水検出手段１１ａ、１１ｂと、前記浸水検出手段に接続され前記状態変化を検出する検出回路と、前記検出回路からの信号に基づき警告を発する警告手段２３ａを含む浸水警報装置５とを有する防水ハウジング１。【選択図】  図２
2006119372.tif 000002
【特許請求の範囲】
【請求項１】
ハウジングの開口部を塞ぐ蓋部と、
前記蓋部を閉じた際、前記開口部と前記蓋部との間に前記開口部の略一周にわたって配設される少なくとも２つの防水部材と、
前記２つの防水部材の間に配設され、前記防水部材の間が浸水したとき状態変化を生ずる浸水検出手段と、
前記浸水検出手段に接続され前記状態変化を検出する検出回路と、前記検出回路からの信号に基づき警告を発する警告手段を含む浸水警報装置と、
を有することを特徴とする防水ハウジング。
【請求項２】
前記浸水検出装置は、前記ハウジング内に設置されていることを特徴とする請求項１に記載の防水ハウジング。
【請求項３】
前記浸水検出手段は、少なくとも２つの導体からなり、
前記状態変化は、前記２つの導体間の電気抵抗であることを特徴とする請求項１または２に記載の防水ハウジング。
【請求項４】
前記防水部材は導電性Ｏリングからなり、前記導体を兼ねていることを特徴とする請求項１から３のいずれか１項に記載の防水ハウジング。
【請求項５】
前記警告手段は、光、音、または振動の少なくとも１つからなることを特徴とする請求項１から４のいずれか１項に記載の防水ハウジング。
【請求項６】
請求項１から５のいずれか１項に記載の防水ハウジングをカメラに具備してなることを特徴とする防水カメラ。
【発明の詳細な説明】
【技術分野】
【０００１】
本発明は、浸水警報装置を内蔵する防水ハウジングに関する。
【背景技術】
【０００２】
従来、ハウジングの蓋部内側に防水シール部材を開口部の略１周にわたって配設してハウジング内への浸水を防止すると共に、防水シール部材を通過して浸水が生じた際にハウジング内の防水シール部材の内側部分に設けられた浸水検出装置により浸水を検出し、警報を発して使用者に警告する浸水警報装置を内蔵する防水カメラやカメラを収容する防水ハウジングが提案されている（例えば、特許文献１、特許文献２参照。）。
【特許文献１】特開昭５５−１１２３５号公報
【特許文献２】特開平５−３２８１８１号公報
【発明の開示】
【発明が解決しようとする課題】
【０００３】
しかしながら、特許文献１及び２の開示例では、防水シール部材が塵や埃を挟んだり傷ついたりして防水性能が劣化して防水シール部材で保護されたハウジング内部に浸水が生じた際に、使用者に対して警報を発して警告するものの、警告が発せられた時には、既に水はハウジング内部に侵入しておりハウジング内のフィルム、テープ、及びその他の部分、あるいは、収容されているカメラ等の機材が冠水するという問題がある。
【０００４】
本発明は、上記問題に鑑みて行われたものであり、防水シール部材で保護されたハウジング内部に水が浸入する前に警報を発して警告する浸水警報装置を内蔵する防水ハウジングであって、これをカメラに具備する防水カメラ及びカメラ等を収容する防水ハウジングを提供することを目的とする。
【課題を解決するための手段】
【０００５】
上記目的を達成するために、本発明は、ハウジングの開口部を塞ぐ蓋部と、前記蓋部を閉じた際、前記開口部と前記蓋部との間に前記開口部の略一周にわたって配設される少なくとも２つの防水部材と、前記２つの防水部材の間に配設され、前記防水部材の間が浸水したとき状態変化を生ずる浸水検出手段と、前記浸水検出手段に接続され前記状態変化を検出する検出回路と、前記検出回路からの信号に基づき警告を発する警告手段を含む浸水警報装置とを有することを特徴とする防水ハウジングを提供する。
【０００６】
また、本発明にかかる防水ハウジングでは、前記浸水検出装置は、前記ハウジング内に設置されていることが好ましい。
【０００７】
また、本発明にかかる防水ハウジングでは、前記浸水検出手段は、少なくとも２つの導体からなり、前記状態変化は、前記２つの導体間の電気抵抗であることが好ましい。
【０００８】
また、本発明にかかる防水ハウジングでは、前記防水部材は導電性Ｏリングからなり、前記導体を兼ねていることが好ましい。
【０００９】
また、本発明にかかる防水ハウジングでは、前記警告手段は、光、音、または振動の少なくとも１つからなることが好ましい。
【００１０】
また、本発明は、前記防水ハウジングをカメラに具備してなることを特徴とする防水カメラを提供する。
【発明の効果】
【００１１】
本発明によれば、防水シール部材で保護されたハウジング内部に水が浸入する前に警報を発して警告する浸水警報装置を内蔵する防水ハウジングであって、これをカメラに具備する防水カメラ及びカメラ等を収容する防水ハウジングを提供することができる。
【発明を実施するための最良の形態】
【００１２】
以下、本発明の実施の形態に関し図面を参照しつつ説明する。
【００１３】
図１は、本発明の第１実施の形態にかかる防水ハウジングにカメラを収納した状態の正面透視図である。図２は、図１に示す防水ハウジングの蓋を開けた状態の斜視図である。図３は、図１のＸ−Ｘ線に沿った断面図である。図４は、本発明の第２実施の形態にかかるカメラアクセサリー用防水ハウジングの断面図を示す。
【００１４】
（第１実施の形態）
図１から図３において、防水ハウジング１の中にカメラ３と、浸水警報装置５が配設されている。防水ハウジング本体部１ａの開口部７と蓋部９との間に防水シールと浸水検出手段を兼ねる第１の導電性Ｏリング１１ａと第２の導電性Ｏリング１１ｂが配設されている。蓋部９を閉めバックル１３で蓋部９を防水ハウジング本体部１ａに固定した時、第１の導電性Ｏリング１１ａと第２の導電性Ｏリング１１ｂとが略平行に近接して開口部７の内側を一周に亘って防水シールするように構成されている。
【００１５】
第１の導電性Ｏリング１１ａは蓋部９側に、第２の導電性Ｏリング１１ｂは防水ハウジング本体部１ａ側に、それぞれ第１の導電性Ｏリング１１ａ、第２の導電性Ｏリング１１ｂを装着する溝部が設けられて配置されている。そして第１の導電性Ｏリング１１ａと第２の導電性Ｏリング１１ｂとの間に浸水が発生した時、両Ｏリング間の電気抵抗が変化して浸水警報装置５に設けられた浸水検出回路１５で検出される。
【００１６】
浸水警報装置５は、第１の導電性Ｏリング１１ａと第２の導電性Ｏリング１１ｂ間の水漏による電気抵抗の変化を検出する検出回路１５と、検出回路１５からの信号に基づき警告する警告手段２３と電源部（例えば、電池）１７とスイッチか１９とから構成されている。
【００１７】
警告手段２３は、浸水検出回路１５から信号を受けてランプ（例えば、ＬＥＤ等）を点滅させて使用者に告知する構成である。なお、警告手段２３は、光、音、または振動のどれか１つを用いても良いし、それらを組み合わせて用いても良い。警告の認知性を高めるためには光、音、または振動の単体のみより、例えば光と音、光と振動、光と音と振動、等の様にそれぞれを状況に応じて組み合わせて用いるのが適している。
【００１８】
また、スイッチ１９は、手動でＯＮ／ＯＦＦを行うこともできるが、蓋部９の開閉に連動して防水ハウジング１が密閉状態になった時（蓋部９を閉めて固定した時）ＯＮになり、蓋部９が解放の状態でＯＦＦになるようにすることで電池の消耗を抑えることができる。
【００１９】
防水ハウジング１は、警告手段であるＬＥＤ２３の点滅が確認できるように浸水警報装置５と共に透明な樹脂部材で形成されている。なお、警告手段であるＬＥＤ２３の点滅が防水ハウジング１の外部から確認できるように防水ハウジング１と浸水警報装置５の一部が透明の樹脂で形成されて有っても良い。
【００２０】
浸水検出回路１５からは第１の導電性Ｏリング１１ａと、第２の導電性Ｏリング１１ｂにそれぞれ電気的接触を取るための導線２１ａ、２１ｂが設けられている。導線２１ａ、２１ｂは、第１の導電性Ｏリング１１ａと、第２の導電性Ｏリング１１ｂにそれぞれ圧接して電気的接触を取っている。蓋部９に設けられている第１の導電性Ｏリング１１ａは、蓋部９を閉めた際に導線２１ａと第１の導電性Ｏリング１１ａとが圧接して電気的接触が取れるように構成されている。
【００２１】
この様にして、本実施の形態にかかる浸水警報装置５を内蔵する防水ハウジング１が構成されている。導線２１ａ、２１ｂがＯリング１１ａ、１１ｂと電気的に接続されることにより、Ｏリングと導線接続部での防水性能に支障をきたすことは無い。また、導線２１ａ、２１ｂはハウジング１の内部に二十成型等で埋め込まれたものであっても良いし、導線であっても良い。
【００２２】
次に、本実施の形態の浸水検出動作について図３を参照しつつ説明する。
【００２３】
図３において、防水ハウジング１は、第１の導電性Ｏリング１１ａと第２の導電性Ｏリング１１ｂとで防水ハウジング１の内部を防水シールし、防水ハウジング１の内部に収納されたカメラ３を冠水から保護している。
【００２４】
第１の導電性Ｏリング１１ａと第２の導電性Ｏリング１１ｂは、防水ハウジング１の外側部Ａ（水中になる）と、第１の導電性Ｏリング１１ａと第２の導電性Ｏリング１１ｂとで区画された空間Ｂとカメラ３を収納する内室Ｃの３つの部分に区分される。空間Ｂが浸水していない時は、第１の導電性Ｏリング１１ａと第２の導電性Ｏリング１１ｂとの間は空気で絶縁された状態にあるため電気抵抗は十分高い値に保持される。一方、第１の導電性Ｏリング１１ａが塵、傷などで劣化して防水シール能力が劣化して浸水し始めたとき、空間Ｂに水が浸入し第１の導電性Ｏリング１１ａと第２の導電性Ｏリング１１ｂとの間が水で濡れ両Ｏリング間の電気抵抗が変化する。この電気抵抗の変化を浸水検出回路１５で検出して、警告手段であるＬＥＤ２３を点滅して使用者に警告を発する。警告が発せられた時、防水ハウジング１の内室部Ｃは第２の導電性Ｏリング１１ｂで防水シールされているため、防水ハウジング１の内室部Ｃに水が浸入することは無い。
【００２５】
なお、浸水検出回路１５は、防水ハウジング１が密閉された時点での抵抗値を基準にして以後の抵抗値変化を監視し、所定のレベルの抵抗値が生じた際に警告を発するように構成しても良い。また、抵抗値の変化のレベルによって警告手段であるＬＥＤ２３の発光色を変えて浸水のレベルや防水シール能力のレベルを表示し使用者に注意を促すように構成することも可能である。
【００２６】
この様に、本発明にかかる防水ハウジング１では、第１の導電性Ｏリング１１ａの防水シール能力が劣化して第１の導電性Ｏリング１１ａから浸水して警告が発せられた時でも、第２の導電性Ｏリング１１ｂが浸水を抑止することが可能であり防水ハウジング１の内部Ｃに水が進入する前に浸水対策をすることが可能になる。また、毛髪等がＯリング１１ａ、１１ｂに挟み込まれ浸水が起きてもＯリング１１ｂのおかげでハウジング１内部への浸水の進行はとても遅いものとなる。すなわち、警告が発せられた時点で水中から防水ハウジング１を引き上げることで、防水ハウジング内部Ｃに収納されたカメラ３の冠水を防ぐことが可能になる。
【００２７】
なお、本実施の形態では、浸水を検出する伝導体は第１の導電性Ｏリング１１ａと第２の導電性Ｏリング１１ｂを用いているがこれに限られない。例えば、第１の導電性Ｏリング１１ａと第２の導電性Ｏリング１１ｂは通常のＯリングを用い、両Ｏリングの間の空間Ｂに少なくとも２本の導体を開口部の略一周に亘って配設して導体の数に対応する導線にそれぞれ接続して浸水による電気抵抗変化をそれぞれ検出するようにしても良い。また、電気抵抗の変化に応じて浸水の程度を示すレベル表示（例えば、１〜５段階のレベル表示など）するようにしても良い。本実施の形態にかかる防水ハウジング１では、第１の導電性Ｏリング１１ａから水が浸入しても直ちに防水ハウジング１内の空間Ｃに水が浸入するわけではないので、使用者は浸水のレベル表示によって水中から取り出す時期を判断することができる。また、一周にわたる第１及び第２の導電性Ｏリングを複数の領域に分割するように導線２１ａ、２１ｂを設け、分割された各領域ごとの抵抗値変化を比較することによって、浸水した領域を検出するように構成することもできる。
【００２８】
なお、上述の説明では、内部にカメラ等を収納する防水ハウジングに関して構成、作用を説明したが、同様の構成をカメラのボディーに適用して同様の作用で防水カメラを構成することもできる。
【００２９】
（第２実施の形態）
次に、本発明の第２実施の形態に関し、図４を参照しつつ説明する。図４に示す防水ハウジングはカメラに外付けされる補助光発光装置（外付フラッシュ装置）等のアクセサリーを収納して水中で使用可能にするアクセサリー用防水ハウジングである。第１実施の形態と同様の構成には同じ符号を付し説明する。
【００３０】
図４において、アクセサリー用防水ハウジング３０は、略円筒状の本体３１と、本体３１の一端部をカバーする断面がコ字状の蓋部３２と他端部をカバーする断面がコ字状の蓋部３３とから構成されている。
【００３１】
本体３１の外周部で蓋部３２側には、溝部３４ａ、３４ｂが円周に亘って略平行に形成され、防水シールと浸水検出手段を兼ねる第１の導電性Ｏリング１１ａと第２の導電性Ｏリング１１ｂが配設されている。蓋部３２を本体３１の一端部に取付ける際、蓋部３２の円筒状部分３２ａの内周部に設けられたねじ部３２ｂと本体３１の外周部に設けられたねじ部３１ａとが螺合し、第１の導電性Ｏリング１１ａと第２の導電性Ｏリング１１ｂが蓋部３２の円筒状部分３２ａの内周部に圧接されて防水シールするように構成されている。
【００３２】
また、本体３１の他端部の蓋部３３側には、溝部３５ａ、３５ｂが円周に亘って略平行に形成され、防水シールと浸水検出手段を兼ねる第３の導電性Ｏリング１１１ａと第４の導電性Ｏリング１１１ｂが配設されている。蓋部３３を本体３１の他端部に取付ける際、蓋部３３の円筒状部分３３ａの内周部に設けられたねじ部３３ｂと本体３１の外周部に設けられたねじ部３１ｂとが螺合し、第３の導電性Ｏリング１１１ａと第４の導電性Ｏリング１１１ｂが蓋部３３の円筒状部分３３ａの内周部に圧接されて防水シールするように構成されている。
【００３３】
この様に、円筒状の本体３１の一端部と他端部を蓋部３２と蓋部３３でカバーし、導電性Ｏリング１１ａ、１１ｂ、１１１ａ、１１１ｂで防水シールすることによって、本体３１の内部が水密に保持される。
【００３４】
第１の導電性Ｏリング１１ａと第２の導電性Ｏリング１１ｂは浸水検出手段を兼ねており、本体３１と蓋部３２の開口部Ａから水が浸入して第１の導電性Ｏリング１１ａと第２の導電性Ｏリング１１ｂの間の空間Ｂに浸水した際、第１の導電性Ｏリング１１ａと第２の導電性Ｏリング１１ｂとの間の電気抵抗が変化する。この電気抵抗の変化を、第１実施の形態と同様の浸水警報装置（不図示）に設けられた浸水検出回路で検出し、警報手段によって使用者に告知する。
【００３５】
また、第３の導電性Ｏリング１１１ａと第４の導電性Ｏリング１１１ｂも上述の作用と同様である。
【００３６】
なお、浸水警報装置、浸水検出回路、及び警告手段等は、第１実施の形態と同様の構成、作用を有しており詳細な説明は省略する。
【００３７】
この様にして、本第２実施の形態にかかるカメラアクセサリー用防水ハウジング３０が構成されている。その他の作用、及び効果は、第１実施の形態と同様であり説明を省略する。
【００３８】
なお、カメラアクセサリー用防水ハウジング３０は、円筒形状に限定されることは無く楕円形状や矩形形状で有っても良い。また、蓋部の装着、固定はねじ部に限らず、第１実施の形態と同様のバックルを用いても良い。また、本体、及び蓋部は全体が透明で有っても一部が透明で有っても良い。
【００３９】
なお、上述の実施の形態は例に過ぎず、上述の構成や形状に限定されるものではなく、本発明の範囲内において適宜修正、変更が可能である。
【図面の簡単な説明】
【００４０】
【図１】本発明の実施の形態にかかる防水ハウジングにカメラを収納した状態の正面透視図である。
【図２】図１に示す防水ハウジングの蓋を開けた状態の斜視図である。
【図３】図１のＸ−Ｘ線に沿った断面図である。
【図４】本発明の第２実施の形態にかかるカメラアクセサリー用防水ハウジングの断面図を示す。
【符号の説明】
【００４１】
１      防水ハウジング
３      カメラ
５      浸水警報装置
７      開口部
９      蓋部
１１、１１１    導電性Ｏリング
１３    バックル
１５    検出回路
１７    電源（電池）
１９    スイッチ
２１    導線
２３    警告手段
３０    カメラアクセサリー用防水ハウジング
３１    本体
３２、３３  蓋部
３４、３５  溝部
【図１】
2006119372.tif 000003
【図２】
2006119372.tif 000004
【図３】
2006119372.tif 000005
【図４】
2006119372.tif 000006